【手続補正書】
【提出日】平成20年3月31日(2008.3.31)
【手続補正１】
【補正対象書類名】明細書
【補正対象項目名】特許請求の範囲
【補正方法】変更
【補正の内容】
【特許請求の範囲】
【請求項１】  複数の編集方法情報を保管する製本管理サーバと、前記製本管理サーバから前記複数の編集方法情報を取得し、前記複数の編集方法情報のうち指定された編集方法情報を、編集対象となる原稿とともに送信する通信端末とを有し、前記製本管理サーバは、前記通信端末から前記編集方法情報及び前記原稿を受信すると、前記編集方法情報により示される編集方法で前記原稿を編集することを特徴とする製本システム。
【請求項２】  前記製本管理サーバは、さらに、複数の製本方法情報を保管し、前記通信端末は、前記製本管理サーバから前記複数の製本方法情報を取得して、前記複数の製本方法情報のうち指定された製本方法情報を送信し、前記製本管理サーバは、前記通信端末から前記製本方法情報を受信すると、前記製本方法情報にて示される製本方法で編集後の原稿を製本するよう制御することを特徴とする請求項１記載の製本システム。
【請求項３】  少なくとも１台の通信端末をネットワーク上に接続した製本システムにおいて、前記通信端末は、複数の編集方法情報を格納し、該複数の編集方法情報のうち指定された編集方法情報により示される編集方法で、編集対象となる原稿を編集することを特徴とする製本システム。
【請求項４】  前記製本システムは、さらに、原稿の編集及び製本を管理する製本管理サーバを前記ネットワーク上に有し、前記通信端末は、複数の製本方法情報を格納し、該複数の製本方法情報のうち指定された製本方法情報を前記製本管理サーバに送信し、前記製本管理サーバは、前記通信端末から前記製本方法情報を受信すると、前記製本方法情報にて示される製本方法で編集後の原稿を製本するよう制御することを特徴とする請求項３記載の製本システム。
【請求項５】  前記製本システムは、さらに、前記編集後の原稿を印刷出力するプリンタと、該プリンタから印刷出力された原稿を、前記複数の製本方法情報に対応する複数の製本処理機と、前記製本管理サーバからの制御に基づき、前記プリンタから出力された原稿を前記複数の製本処理機のいずれかに振り分ける排紙制御装置と、を有することを特徴とする請求項２又は４記載の製本システム。
【請求項６】  複数の編集方法情報を保管する情報蓄積手段と、該情報蓄積手段にて保管する前記複数の編集方法情報を顧客の通信端末に送信する送信手段と、前記複数の編集方法情報のうち指定された編集方法情報を、編集対象となる原稿とともに、前記通信端末から受信する受信手段と、該受信手段にて前記編集方法情報及び前記原稿を受信すると、前記編集方法情報にて示される編集方法で前記原稿を編集する編集手段とを有することを特徴とする製本管理サーバ。
【請求項７】  前記製本管理サーバは、製本方法を制御する製本制御手段をさらに有し、複数の製本方法情報を前記情報蓄積手段にて保管し、前記情報蓄積手段で保管する前記複数の製本方法情報を前記送信手段から前記通信端末に送信し、前記複数の製本方法情報のうち指定された製本方法情報を前記通信端末から前記受信手段で受信すると、前記製本制御手段にて、前記受信手段で受信した前記製本方法情報により示される製本方法で編集後の原稿を製本するよう制御することを特徴とする請求項６記載の製本管理サーバ。
【請求項８】  製本方法情報及び製本対象となる原稿を通信端末から受信する受信手段と、該受信手段にて前記製本方法情報及び前記原稿を受信すると、前記製本方法情報にて示される製本方法で前記原稿を製本するよう制御する製本制御手段とを有することを特徴とする製本管理サーバ。
【請求項９】  複数の編集方法情報を受信する受信手段と、該受信手段にて前記複数の編集方法情報を受信すると、前記複数の編集方法情報のうち指定された編集方法情報を、編集対象となる原稿とともに送信する送信手段とを有することを特徴とする通信端末。
【請求項１０】  前記受信手段では、さらに、複数の製本方法情報を受信し、前記送信手段は、前記複数の製本方法情報のうち指定された製本方法情報を送信することを特徴とする請求項９記載の通信端末。
【請求項１１】  複数の編集方法情報を格納する情報蓄積手段と、該情報蓄積手段で格納する前記複数の編集方法情報のうち指定された編集方法情報にて示される編集方法で、編集対象となる原稿を編集する編集手段とを有することを特徴とする通信端末。
【請求項１２】  原稿の編集及び製本を管理する製本管理サーバが、複数の編集方法情報を保管する手順と、該保管する複数の編集方法情報を前記製本管理サーバが通信端末に送信する手順と、前記複数の編集方法情報のうち指定された編集方法情報を、前記製本管理サーバが編集対象となる原稿とともに前記通信端末から受信する手順と、前記製本管理サーバが、前記通信端末から前記編集方法情報及び前記原稿を受信すると、前記編集方法情報にて示される編集方法で前記原稿を編集する手順と有することを特徴とする製本方法。
【請求項１３】  さらに、前記製本管理サーバが複数の製本方法情報を保管する手順と、該保管する複数の製本方法情報を前記製本管理サーバが通信端末に送信する手順と、前記複数の製本方法情報のうち指定された製本方法情報を、前記製本管理サーバが前記通信端末から受信する手順と、前記製本管理サーバが前記通信端末から前記製本方法情報を受信すると、前記製本方法情報にて示される製本方法で編集後の原稿を製本する手順とを有することを特徴とする請求項１２記載の製本方法。
【請求項１４】  原稿の編集及び製本を管理する製本管理サーバが、通信端末から製本方法情報を受信する手順と、該受信した製本方法情報にて示される製本方法で製本対象となる原稿を製本するよう前記製本管理サーバが制御する手順とを有することを特徴とする製本方法。
【請求項１５】  通信端末が複数の編集方法情報を受信する手順と、該受信した複数の編集方法情報のうち指定された編集方法情報を、前記通信端末が編集対象となる原稿とともに送信する手順とを有することを特徴とする製本方法。
【請求項１６】  さらに、前記通信端末が複数の製本方法情報を受信する手順と、該受信した複数の製本方法情報のうち指定された製本方法情報を前記通信端末が送信する手順とを有することを特徴とする請求項１５記載の製本方法。
【請求項１７】  通信端末が複数の編集方法情報を格納する手順と、該格納する複数の編集方法情報のうち指定された前記編集方法情報にて示される編集方法で、前記通信端末が編集対象となる原稿を編集する手順とを有することを特徴とする製本方法。
【請求項１８】  さらに、前記通信端末が複数の製本方法情報を格納する手順と、該格納した複数の製本方法情報のうち指定された製本方法情報を前記通信端末が送信する手順とを有することを特徴とする請求項１７記載の製本方法。
【請求項１９】  原稿の編集及び製本を管理する製本管理サーバのコンピュータに、複数の編集方法情報を保管する手順、該保管する複数の編集方法情報を通信端末に送信する手順、前記複数の編集方法情報から指定された編集方法情報、及び、編集対象の原稿を前記通信端末から受信する手順、及び、前記通信端末から前記編集方法情報及び前記原稿を受信すると、前記編集方法情報にて示される編集方法で前記原稿を編集する手順、を実行させるためのプログラムを記録したコンピュータ読み取り可能な記録媒体。
【請求項２０】  さらに、前記製本管理サーバのコンピュータに、複数の製本方法情報を保管する手順、該保管する複数の製本方法情報を通信端末に送信する手順、前記複数の製本方法情報から指定された製本方法情報を前記通信端末から受信する手順、及び、前記通信端末から前記製本方法情報を受信すると、前記製本方法情報にて示される製本方法で編集後の原稿を製本する手順、を実行させるためのプログラムを記録した請求項１９記載のコンピュータ読み取り可能な記録媒体。
【請求項２１】  原稿の編集及び製本を管理する製本管理サーバのコンピュータに、通信端末から製本方法情報を受信する手順、及び、該受信した製本方法情報にて示される製本方法で製本対象の原稿を製本するよう制御する手順、を実行させるためのプログラムを記録したコンピュータ読み取り可能な記録媒体。
【請求項２２】  通信端末のコンピュータに、複数の編集方法情報を受信する手順、及び、該受信した複数の編集方法情報から指定された編集方法情報を、編集対象となる原稿とともに送信する手順、を実行させるためのプログラムを記録したコンピュータ読み取り可能な記録媒体。
【請求項２３】  さらに、前記通信端末のコンピュータに、複数の製本方法情報を受信する手順、及び、該受信した複数の製本方法情報から指定された製本方法情報を送信する手順、を実行させるためのプログラムを記録した請求項２２記載のコンピュータ読み取り可能な記録媒体。
【請求項２４】  通信端末のコンピュータに、複数の編集方法情報を格納する手順、及び、該格納する複数の編集方法情報から指定された編集方法情報にて示される編集方法で、編集対象の原稿を編集する手順、を実行させるためのプログラムを記録したコンピュータ読み取り可能な記録媒体。
【請求項２５】  さらに、前記通信端末のコンピュータに、複数の製本方法情報を格納する手順、及び、該格納した複数の製本方法情報から指定された製本方法情報を送信する手順、を実行させるためのプログラムを記録した請求項２４記載のコンピュータ読み取り可能な記録媒体。
【請求項２６】  通信端末と、原稿の編集及び製本を管理する製本管理サーバとをネットワークで接続したシステムに備えられるコンピュータに、複数の編集方法情報を前記製本管理サーバが保管する手順、前記製本管理サーバから前記複数の編集方法情報を送信する手順、前記通信端末が、前記複数の編集方法情報を前記製本管理サーバから受信すると、前記複数の編集方法情報から指定された編集方法情報、及び、編集対象となる原稿を前記製本管理サーバに送信する手順、及び、前記製本管理サーバが、前記通信端末から前記編集方法情報及び前記原稿を受信すると、前記編集方法情報にて示される編集方法で前記原稿を編集する手順、を実行させるための製本プログラム。
【請求項２７】  前記システムに備えられるコンピュータに、さらに、複数の製本方法情報を前記製本管理サーバに保管する手順、前記製本管理サーバから前記複数の製本方法情報を送信する手順、前記通信端末が、前記複数の製本方法情報を前記製本管理サーバから受信すると、前記複数の製本方法情報から指定された製本方法情報を前記製本管理サーバに送信する手順、及び、前記製本管理サーバが、前記通信端末から前記製本方法情報を受信すると、前記製本方法情報にて示される製本方法で前記原稿を製本するよう制御する手順、を実行させるための請求項２６記載の製本プログラム。
【請求項２８】  通信端末と、原稿の編集及び製本を管理する製本管理サーバとをネットワークで接続したシステムに備えられるコンピュータに、複数の編集方法情報を前記通信端末が格納する手順、前記通信端末が、前記複数の編集方法情報から指定された編集方法情報により示される編集方法で、編集対象の原稿を編集する手順、及び、該編集した原稿を前記通信端末が前記製本管理サーバに送信する手順、を実行させるための製本プログラム。
【請求項２９】  前記システムに備えられるコンピュータに、さらに、複数の製本方法情報を前記通信端末が格納する手順、前記通信端末が、前記複数の製本方法情報から指定された製本方法情報を前記製本管理サーバに送信する手順、及び、前記製本管理サーバが、前記通信端末から前記製本方法情報を受信すると、前記製本方法情報にて示される製本方法で編集後の原稿を製本するよう制御する手順、を実行させるための請求項２８記載の製本プログラム。
【手続補正２】
【補正対象書類名】明細書
【補正対象項目名】００２６
【補正方法】変更
【補正の内容】
【００２６】
また、請求項１９記載のコンピュータ読み取り可能な記録媒体は、原稿の編集及び製本を管理する製本管理サーバのコンピュータに、複数の編集方法情報を保管する手順、該保管する複数の編集方法情報を通信端末に送信する手順、前記複数の編集方法情報から指定された編集方法情報、及び、編集対象の原稿を前記通信端末から受信する手順、及び、前記通信端末から前記編集方法情報及び前記原稿を受信すると、前記編集方法情報にて示される編集方法で前記原稿を編集する手順、を実行させるためのプログラムを記録したことを特徴とする。
【手続補正３】
【補正対象書類名】明細書
【補正対象項目名】００２７
【補正方法】変更
【補正の内容】
【００２７】
また、請求項２０記載のコンピュータ読み取り可能な記録媒体は、さらに、前記製本管理サーバのコンピュータに、複数の製本方法情報を保管する手順、該保管する複数の製本方法情報を通信端末に送信する手順、前記複数の製本方法情報から指定された製本方法情報を前記通信端末から受信する手順、及び、前記通信端末から前記製本方法情報を受信すると、前記製本方法情報にて示される製本方法で編集後の原稿を製本する手順、を実行させるためのプログラムを記録したことを特徴とする。
【手続補正４】
【補正対象書類名】明細書
【補正対象項目名】００２８
【補正方法】変更
【補正の内容】
【００２８】
また、請求項２１記載のコンピュータ読み取り可能な記録媒体は、原稿の編集及び製本を管理する製本管理サーバのコンピュータに、通信端末から製本方法情報を受信する手順、及び、該受信した製本方法情報にて示される製本方法で製本対象の原稿を製本するよう制御する手順、を実行させるためのプログラムを記録したことを特徴とする。
【手続補正５】
【補正対象書類名】明細書
【補正対象項目名】００２９
【補正方法】変更
【補正の内容】
【００２９】
また、請求項２２記載のコンピュータ読み取り可能な記録媒体は、通信端末のコンピュータに、複数の編集方法情報を受信する手順、及び、該受信した複数の編集方法情報から指定された編集方法情報を、編集対象となる原稿とともに送信する手順、を実行させるためのプログラムを記録したことを特徴とする。
【手続補正６】
【補正対象書類名】明細書
【補正対象項目名】００３０
【補正方法】変更
【補正の内容】
【００３０】
また、請求項２３記載のコンピュータ読み取り可能な記録媒体は、さらに、前記通信端末のコンピュータに、複数の製本方法情報を受信する手順、及び、該受信した複数の製本方法情報から指定された製本方法情報を送信する手順、を実行させるためのプログラムを記録したことを特徴とする。
【手続補正７】
【補正対象書類名】明細書
【補正対象項目名】００３１
【補正方法】変更
【補正の内容】
【００３１】
また、請求項２４記載のコンピュータ読み取り可能な記録媒体は、通信端末のコンピュータに、複数の編集方法情報を格納する手順、及び、該格納する複数の編集方法情報から指定された編集方法情報にて示される編集方法で、編集対象の原稿を編集する手順、を実行させるためのプログラムを記録したことを特徴とする。
【手続補正８】
【補正対象書類名】明細書
【補正対象項目名】００３２
【補正方法】変更
【補正の内容】
【００３２】
また、請求項２５記載のコンピュータ読み取り可能な記録媒体は、さらに、前記通信端末のコンピュータに、複数の製本方法情報を格納する手順、及び、該格納した複数の製本方法情報から指定された製本方法情報を送信する手順、を実行させるためのプログラムを記録したことを特徴とする。
【手続補正９】
【補正対象書類名】明細書
【補正対象項目名】００３３
【補正方法】変更
【補正の内容】
【００３３】
また、請求項２６記載のコンピュータ読み取り可能な記録媒体は、通信端末と、原稿の編集及び製本を管理する製本管理サーバとをネットワークで接続したシステムに備えられるコンピュータに、複数の編集方法情報を前記製本管理サーバが保管する手順、前記製本管理サーバから前記複数の編集方法情報を送信する手順、前記通信端末が、前記複数の編集方法情報を前記製本管理サーバから受信すると、前記複数の編集方法情報から指定された編集方法情報、及び、編集対象となる原稿を前記製本管理サーバに送信する手順、及び、前記製本管理サーバが、前記通信端末から前記編集方法情報及び前記原稿を受信すると、前記編集方法情報にて示される編集方法で前記原稿を編集する手順、を実行させることを特徴とする。
【手続補正１０】
【補正対象書類名】明細書
【補正対象項目名】００３４
【補正方法】変更
【補正の内容】
【００３４】
また、請求項２７記載の製本プログラムは、前記システムに備えられるコンピュータに、さらに、複数の製本方法情報を前記製本管理サーバに保管する手順、前記製本管理サーバから前記複数の製本方法情報を送信する手順、前記通信端末が、前記複数の製本方法情報を前記製本管理サーバから受信すると、前記複数の製本方法情報から指定された製本方法情報を前記製本管理サーバに送信する手順、及び、前記製本管理サーバが、前記通信端末から前記製本方法情報を受信すると、前記製本方法情報にて示される製本方法で前記原稿を製本するよう制御する手順、を実行させることを特徴とする。
【手続補正１１】
【補正対象書類名】明細書
【補正対象項目名】００３５
【補正方法】変更
【補正の内容】
【００３５】
また、請求項２８記載の製本プログラムは、通信端末と、原稿の編集及び製本を管理する製本管理サーバとをネットワークで接続したシステムに備えられるコンピュータに、複数の編集方法情報を前記通信端末が格納する手順、前記通信端末が、前記複数の編集方法情報から指定された編集方法情報により示される編集方法で、編集対象の原稿を編集する手順、及び、該編集した原稿を前記通信端末が前記製本管理サーバに送信する手順、を実行させることを特徴とする。
【手続補正１２】
【補正対象書類名】明細書
【補正対象項目名】００３６
【補正方法】変更
【補正の内容】
【００３６】
また、請求項２９記載の製本プログラムは、前記システムに備えられるコンピュータに、さらに、複数の製本方法情報を前記通信端末が格納する手順、前記通信端末が、前記複数の製本方法情報から指定された製本方法情報を前記製本管理サーバに送信する手順、及び、前記製本管理サーバが、前記通信端末から前記製本方法情報を受信すると、前記製本方法情報にて示される製本方法で編集後の原稿を製本するよう制御する手順、を実行させることを特徴とする。